【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  記憶デバイスにより提供される記憶領域を情報処理装置から指定させるために仮想的に設定されるボリュームである仮想ボリュームと、記憶デバイスにより提供される記憶領域に対応づけて論理的に設定されるボリュームである論理ボリュームとの対応づけを記憶する手段と、
情報処理装置から送られてくるデータ入出力要求を受信して、そのデータ入出力要求に設定されている仮想ボリュームに対応する論理ボリュームを対象としてデータ入出力処理を行う手段と、
仮想ボリュームに要求される仕様を記憶する手段と、
論理ボリュームの仕様を記憶する手段と、
仮想ボリュームに要求される仕様と論理ボリュームの仕様とを比較することにより仮想ボリュームに対応づける論理ボリュームを選出する選出手段と、
選出した論理ボリュームを仮想ボリュームに対応づけて記憶する手段と、
を備えることを特徴とする記憶デバイス制御装置。
【請求項２】  請求項１に記載の記憶デバイス制御装置において、
前記選出手段は、前記仮想ボリュームに要求される前記仕様を満たすように一以上の前記論理ボリュームを選出する手段であること、
を特徴とする記憶デバイス制御装置。
【請求項３】  請求項２に記載の記憶デバイス制御装置において、
前記仮想ボリュームに要求される前記仕様を満たすために必要となる前記仕様を有する前記論理ボリュームが存在しない場合に、
前記論理ボリュームに未対応の記憶領域を有する前記記憶デバイスにより前記仕様を満たす新たな前記論理ボリュームを設定するための処理を実行する手段、
を備えることを特徴とする記憶デバイス制御装置。
【請求項４】  請求項３に記載の記憶デバイス制御装置において、
前記仕様を満たす新たな前記論理ボリュームを設定するために必要となる前記記憶デバイスを確保できない場合に、記憶デバイスの増設を促すメッセージを人に報知するための手段、
を備えることを特徴とする記憶デバイス制御装置。
【請求項５】  請求項１に記載の記憶デバイス制御装置において、
前記論理ボリュームの仕様を自動的に測定しその結果をその論理ボリュームの前記仕様として記憶する手段、
を備えることを特徴とする記憶デバイス制御装置。
【請求項６】  請求項１に記載の記憶デバイス制御装置において、
前記仮想ボリュームに対応づけている前記論理ボリュームにより提供される記憶容量の残容量を監視する手段を備え、
前記仮想ボリュームに既に対応づけている前記論理ボリュームにより提供される記憶容量の残容量が閾値以下となった場合に、前記仮想ボリュームに新たな前記論理ボリュームを対応づけて記憶する手段、
を備えることを特徴とする記憶デバイス制御装置。
【請求項７】  請求項１に記載の記憶デバイス制御装置において、
前記仮想ボリュームに要求される前記仕様には、その仮想ボリュームに要求される記憶容量、ＲＡＩＤレベル、シーケンシャル読み出し時の応答速度、シーケンシャル書き込み時の応答速度、ランダム読み出し時の応答速度、ランダム書き込み時の応答速度、の少なくともいずれかが含まれること、
を特徴とする記憶デバイス制御装置。
【請求項８】  請求項１〜７のいずれかに記載の記憶デバイス制御装置において、前記記憶デバイスはディスクドライブであることを特徴とする記憶デバイス制御装置。
【請求項９】  記憶デバイスにより提供される記憶領域を情報処理装置から指定させるために仮想的に設定されるボリュームである仮想ボリュームと、記憶デバイスにより提供される記憶領域に対応づけて論理的に設定されるボリュームである論理ボリュームとの対応づけを記憶し、
情報処理装置から送られてくるデータ入出力要求を受信して、そのデータ入出力要求に設定されている仮想ボリュームに対応する論理ボリュームを対象としてデータ入出力処理を行い、
仮想ボリュームに要求される仕様を記憶し、
論理ボリュームの仕様を記憶し、
仮想ボリュームに要求される仕様と論理ボリュームの仕様とを比較することにより仮想ボリュームに対応づける論理ボリュームを選出し、
選出した論理ボリュームを仮想ボリュームに対応づけて記憶すること、
を特徴とする記憶デバイス制御装置の制御方法。
【請求項１０】  ＣＰＵ及びメモリと、
ホストコンピュータと通信するための第１の通信インタフェースと、
ディスクアレイ装置と通信するための第２の通信インタフェースと、
を有し、
前記ディスクアレイ装置によって提供される記憶領域を前記ホストコンピュータから指定させるために仮想的に設定されるボリュームである仮想ボリュームと、前記記憶領域に対応づけて論理的に設定されるボリュームである論理ボリュームとの対応づけが登録された仮想ボリューム構成テーブルを記憶し、
前記ホストコンピュータからデータ入出力要求を受信し、
前記仮想ボリューム構成テーブルを対照することにより、前記データ入出力要求に設定されている仮想ボリュームに対応する論理ボリュームを特定し、
特定した前記論理ボリュームを対象とする、データ読み出し／書き込みのいずれかの処理に対応したコマンドと、前記ディスクアレイ装置が管理するディスクドライブ上の記憶位置を特定する位置情報とが設定されたＩ／Ｏ実行要求を、前記ディスクアレイ装置に送信し、
前記Ｉ／Ｏ実行要求についての処理結果が記載されたメッセージを前記ディスクアレイ装置から受信して、前記メッセージについての応答データを、前記ホストコンピュータに送信すること
を特徴とする記憶デバイス制御装置。
【請求項１１】  請求項１０に記載の記憶デバイス制御装置であって、
前記仮想ボリュームについての要求仕様を記憶し、
前記論理ボリュームについての仕様を記憶し、
前記要求仕様を満たす前記論理ボリュームを選出し、
選出した前記論理ボリュームを前記仮想ボリュームに対応づけて前記仮想ボリューム構成テーブルに登録すること、
を特徴とする記憶デバイス制御装置。
【請求項１２】  請求項１１に記載の記憶デバイス制御装置であって、
前記要求仕様を満たす前記論理ボリュームの選出は、
前記要求仕様について定められた許容範囲内にある前記論理ボリュームを選出することにより行われること
を特徴とする記憶デバイス制御装置。
【請求項１３】  請求項１０に記載の記憶デバイス制御装置であって、  
前記仮想ボリュームについての要求仕様として残容量閾値を記憶し、
前記論理ボリュームについての残容量を記憶し、
前記仮想ボリュームに対応付けられている前記論理ボリュームの前記残容量が前記残容量閾値よりも小さくなった場合に、前記要求仕様を満たす前記論理ボリュームを選出し、
選出した前記論理ボリュームを前記仮想ボリュームに対応づけて前記仮想ボリューム構成テーブルに登録すること、
を特徴とする記憶デバイス制御装置。
【請求項１４】  請求項１１に記載の記憶デバイス制御装置であって、
記仮想ボリュームに対応付けられている前記論理ボリュームの前記残容量が前記残容量閾値よりも小さくなる前に、前記要求仕様を満たす前記論理ボリュームを選出しておき、
前記論理ボリュームの前記残容量が前記残容量閾値よりも小さくなった場合に、選出しておいた前記論理ボリュームを前記仮想ボリュームに対応づけて前記仮想ボリューム構成テーブルに登録すること、
を特徴とする記憶デバイス制御装置。
【請求項１５】  請求項１０に記載の記憶デバイス制御装置であって、
前記仮想ボリュームについての要求仕様として記憶容量を記憶し、
前記仮想ボリュームの要求仕様として残容量閾値を記憶し、
前記論理ボリュームについての残容量を記憶し、
前記仮想ボリュームに対応付けられている前記論理ボリュームの前記残容量が前記残容量閾値よりも小さくなった場合に、前記記憶容量の一部を満たす記憶容量を有し、かつ、記憶容量以外の前記要求仕様を満たす前記論理ボリュームを選出し、
選出した前記論理ボリュームを前記仮想ボリュームに対応づけて前記仮想ボリューム構成テーブルに登録すること、
を特徴とする記憶デバイス制御装置。
【請求項１６】  請求項１１に記載の記憶デバイス制御装置であって、
前記要求仕様は、記憶容量、ＲＡＩＤレベル、残容量閾値、シーケンシャル読み出し時の応答速度、シーケンシャル書き込み時の応答速度、ランダム読み出し時の応答速度、及びランダム書き込み時の応答速度のうちの少なくともいずれかであること
を特徴とする記憶デバイス制御装置。
【請求項１７】  請求項１１に記載の記憶デバイス制御装置であって、
前記論理ボリュームについての仕様を、前記ディスクアレイ装置に問い合わせることにより取得すること
を特徴とする記憶デバイス制御装置。
【請求項１８】  請求項１０に記載の記憶デバイス制御装置であって、
前記論理ボリュームについての仕様を、前記ディスクアレイ装置に対するベンチマークテストを実行し、前記論理ボリュームの性能を測定することにより取得すること
を特徴とする記憶デバイス制御装置。
【請求項１９】  請求項１０に記載の記憶デバイス制御装置であって、
前記仮想ボリュームに対応づけられていない論理ボリュームの残数、又は前記仮想ボリュームに対応づけられていない論理ボリュームにより提供される残容量を前記ディスクアレイ装置に問い合わせることにより取得し、
前記残数又は前記残容量が、設定された閾値以下となっているか否かを監視し、
前記残数又は前記残容量が、設定された閾値以下となっていることを認知すると、前記ディスクアレイ装置に、前記論理ボリュームの生成を促すメッセージを送信すること
を特徴とする記憶デバイス制御装置。
【手続補正２】
【補正対象書類名】明細書
【補正対象項目名】００６５
【補正方法】変更
【補正の内容】
【００６５】
また、仮想ボリュームに論理ボリュームを対応づける際は、仮想ボリュームに要求されている全記憶容量に対応する分の論理ボリュームを一度に対応づけてしまうのではなく、既にその仮想ボリュームに対応づけられている論理ボリュームの残容量が一定の閾値以下となる度に段階的に論理ボリュームをその仮想ボリュームに対応づけるようにしてもよい。また、この場合において、既にその仮想ボリュームに対応づけられている論理ボリュームの残容量が、仮想ボリューム要求仕様テーブル８００の容量８１３に登録されている記憶容量の所定割合の記憶容量以下となった場合を契機として、新たな論理ボリュームを仮想ボリュームに割り当てるようにしてもよい。
【手続補正３】
【補正対象書類名】図面
【補正対象項目名】図７
【補正方法】変更
【補正の内容】
【図７】
2004178253.tif 000001